(57)【要約】【課題】温水取出部にて漏水が発生しても、制御装置の被水による故障の発生を良好に抑制すること。【解決手段】温水取出部３４は、上部前面パネル３１４に形成された開口部である取出孔３１４ｂにて筐体３１の外部に露出可能に、取出孔３１４ｂよりも筐体３１の内部空間側に配設されている。温水取出部３４は、貯湯タンク３２に接続されることで、貯湯タンク３２に貯留された温水を筐体３１の外部に取り出し可能に設けられている。貯湯側制御装置３６は、筐体３１の内部空間に面するように、筐体３１に支持されている。温水取出部３４は、貯湯側制御装置３６よりも下方に配置されている。また、温水取出部３４は、配管接続パネル３１６よりも上方に配置されている。【選択図】図３
2019032135.tif 000002
【特許請求の範囲】
【請求項１】
貯湯ユニット（３）であって、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、前記制御装置よりも下方に配置された、
貯湯ユニット。
【請求項２】
前記温水取出部は、前記側面パネルにおける前記前面パネルの近傍部又は前記前面パネルに配設されるとともに、前記配管接続パネルよりも上方に配置された、
請求項１に記載の貯湯ユニット。
【請求項３】
前記貯湯タンクは、水平断面視にて略円形状に形成され上下方向に延設された筒状部（３２ａ）の上下を閉塞した構造を有し、
前記温水取出部は、前記特定パネルの厚さ方向に見た場合に、前記筒状部の中心軸線よりも右方又は左方に配置され、
前記制御装置は、前記厚さ方向に透視した場合に、前記温水取出部に対して対角位置となるように配置された、
請求項１又は２に記載の貯湯ユニット。
【請求項４】
前記制御装置は、前記前面パネルと複数の前記側面パネルとのうちの前記特定パネル以外のものの近傍に配置された、
請求項１〜３のいずれか１つに記載の貯湯ユニット。
【請求項５】
前記温水取出部は、ワンタッチコネクタ構造を有する、
請求項１〜４のいずれか１つに記載の貯湯ユニット。
【請求項６】
前記温水取出部は、開口方向を可変に構成された、
請求項１〜５のいずれか１つに記載の貯湯ユニット。
【請求項７】
前記温水取出部は、前記開口部から前記内部空間側に向かって凹設された凹部（３１４ｃ）に設けられた、
請求項１〜６のいずれか１つに記載の貯湯ユニット。
【請求項８】
前記温水取出部は、前記凹部からの突出量が可変に構成された、
請求項７に記載の貯湯ユニット。
【請求項９】
前記温水取出部は、伸縮可能且つ撓曲可能な蛇腹状に構成された、
請求項８に記載の貯湯ユニット。
【請求項１０】
前記底面パネルの下方空間と前記内部空間とを連通するように、前記底面パネルに設けられたドレイン管（３１７）をさらに備え、
前記温水取出部は、前記温水取出部と前記内部配管部との接続箇所から前記温水が漏出した場合に、当該温水が前記ドレイン管を介して前記筐体の外部に排出されるように設けられた、
請求項１〜９のいずれか１つに記載の貯湯ユニット。
【請求項１１】
貯湯ユニット（３）であって、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、ワンタッチコネクタ構造を有する、
貯湯ユニット。
【請求項１２】
前記温水取出部は、開口方向を可変に構成された、
請求項１１に記載の貯湯ユニット。
【請求項１３】
貯湯ユニット（３）であって、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、前記開口部から前記内部空間側に向かって凹設された凹部（３１４ｃ）に設けられ、前記凹部からの突出量が可変に構成された、
貯湯ユニット。
【請求項１４】
前記温水取出部は、伸縮可能且つ撓曲可能な蛇腹状に構成された、
請求項１３に記載の貯湯ユニット。
【発明の詳細な説明】
【技術分野】
【０００１】
本発明は、貯湯タンクに貯湯された温水を供給する貯湯ユニットに関する。
【背景技術】
【０００２】
従来、貯湯タンク内の温水を取り出すための給湯蛇口を筐体の外壁部に設けた構成の、貯湯式給湯装置が知られている（例えば、特許文献１参照）。
【先行技術文献】
【特許文献】
【０００３】
【特許文献１】特開２０１２−１３２６２０号公報
【発明の概要】
【発明が解決しようとする課題】
【０００４】
特許文献１に記載の貯湯式給湯装置においては、給湯蛇口の略全体が、筐体の外側に突出する。このため、貯湯式給湯装置を家屋等の敷地に設置した使用状態で、貯湯式給湯装置付近を歩行者が歩く際に、給湯蛇口が通行の妨げとなってしまうことが懸念される。また、貯湯式給湯装置を梱包する際に、筐体から突出した給湯蛇口を保護するために特別の保護材を用意したり、梱包材のサイズが大きくなったりすることで、物流コストが高くなってしまう等の問題もある。
【０００５】
この点、特開２０１２−２４０７号公報に記載の構成においては、貯湯タンク内に貯えられた温水を取り出すための取出口が、貯湯タンクの外方且つ筐体の内方、即ち筐体の角部のデッドスペースに配置されている。しかしながら、かかる構成において、ユーザが取出口にホースを接続する際に、ホースの口径や材質によっては、取出口に大きな外力が加えられる可能性がある。また、使用中に何らかの理由でホースが引っ張られることで、取出口に大きな外力が加えられる可能性がある。このように取出口に大きな外力が加えられると、取出口近辺にて漏水が発生する可能性がある。かかる漏水が発生すると、装置内部の制御装置が被水して故障が発生する等の懸念がある。
【０００６】
本発明は、上記に例示した事情等に鑑みてなされたものである。
【課題を解決するための手段】
【０００７】
請求項１に記載の貯湯ユニット（３）は、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、前記制御装置よりも下方に配置されている。
【０００８】
かかる構成においては、前記温水取出部は、前記制御装置よりも下方に配置されている。このため、仮に前記温水取出部に大きな外力が加えられて、前記温水取出部近辺にて漏水が発生しても、前記制御装置が被水して故障が発生することが、良好に抑制される。
【０００９】
請求項１１に記載の貯湯ユニット（３）は、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、ワンタッチコネクタ構造を有する。
【００１０】
かかる構成においては、ユーザが前記温水取出部にホースを接続する際に、前記温水取出部に加えられる外力を、可及的に小さくすることが可能になる。したがって、かかる構成によれば、前記温水取出部に大きな外力が加えられることで前記温水取出部近辺にて漏水が発生することが、良好に抑制され得る。
【００１１】
請求項１３に記載の貯湯ユニット（３）は、
温水を貯留可能に構成された貯湯タンク（３２）と、
前記貯湯タンクの上方にて水平面に沿って延設された上面パネル（３１１）と、前記貯湯タンクの下方にて水平面に沿って延設された底面パネル（３１２）と、前記貯湯タンクの側方を覆うように前記上面パネルと前記底面パネルとの間に設けられた複数の側面パネル（３１３）と、前記貯湯タンクの前方を覆うように前記上面パネルと前記底面パネルとの間に設けられた前面パネル（３１４）と、前記底面パネルの上方にて前記前面パネルの下端部から背面側に向かって延設された配管接続パネル（３１６）と、を有し、前記上面パネルと前記底面パネルと前記側面パネルと前記前面パネルとによって囲まれた内部空間内に前記貯湯タンクを収容するように構成された筐体（３１）と、
前記前面パネルと複数の前記側面パネルとのうちのいずれか一つである特定パネルに形成された開口部（３１４ｂ）にて前記筐体の外部に露出可能に前記開口部よりも前記内部空間側に配設されていて、前記内部空間内に設けられた水又は前記温水の通流経路を含む内部配管部（３５）を介して前記貯湯タンクに接続されることで、前記貯湯タンクに貯留された前記温水を前記筐体の外部に取り出し可能に設けられた温水取出部（３４）と、
前記筐体の外部に設けられた給水源に接続された給水配管を含む複数の外部配管と前記内部配管部との接続箇所に設けられていて、前記配管接続パネルに支持された、複数の配管ジョイント（３３）と、
前記内部空間に面するように前記筐体に支持されていて、前記内部配管部に介装された電動調整弁（３５ｓ）の動作を制御するように前記電動調整弁と電気接続された制御装置（３６）と、
を備え、
前記温水取出部は、前記開口部から前記内部空間側に向かって凹設された凹部（３１４ｃ）に設けられ、前記凹部からの突出量が可変に構成されている。
【００１２】
かかる構成においては、ユーザが前記温水取出部を介して前記温水を取り出す際に、前記温水取出部の前記凹部からの突出量を、適宜変更することが可能である。したがって、かかる構成によれば、前記温水取出部を介しての前記温水の取り出しが、良好に行われ得る。具体的には、例えば、前記温水取出部を、地面に置いたバケツに到達するまで延長することで、前記筐体周辺の地面が水浸しになることが可及的に抑制され得る。あるいは、例えば、前記温水取出部を伸縮可能且つ撓曲可能な蛇腹状に構成することで、ユーザが前記温水取出部にホースを接続する際に、前記温水取出部に加えられる外力を、可及的に小さくすることが可能になる。したがって、かかる構成によれば、前記温水取出部に大きな外力が加えられることで前記温水取出部近辺にて漏水が発生することが、良好に抑制され得る。
【００１３】
なお、上記及び特許請求の範囲の欄における、各手段に付された括弧付きの参照符号は、同手段と後述する実施形態に記載の具体的手段との対応関係の一例を示すものである。よって、本発明の技術的範囲は、上記の参照符号の記載によって、何ら限定されるものではない。
【図面の簡単な説明】
【００１４】
【図１】給湯システムの全体構成を示す概略図である。
【図２】実施形態に係る貯湯ユニットの概略構成を示す側面図である。
【図３】図２に示された貯湯ユニットを前方から見た斜視図である。
【図４】図３に示された温水取出部の付近を拡大した側断面図である。
【図５】図４に示された温水取出部の一具体例の概略構成を示す斜視図である。
【図６】図４に示された温水取出部の他の一具体例の概略構成を示す側断面図である。
【図７】図６に示された温水取出部が伸長された状態を示す側面図である。
【図８】図４に示された温水取出部の他の一具体例の概略構成を示す側断面図である。
【図９】図８に示された温水取出部の付近を拡大した正面図である。
【図１０】図４に示された温水取出部のさらに他の一具体例の概略構成を示す斜視図である。
【図１１】図１０に示された温水取出部の付近の構成の一変形例の概略構成を示す側断面図である。
【図１２】図１０に示された温水取出部の付近の構成の他の一変形例の概略構成を示す側断面図である。
【図１３】図３に示された貯湯ユニットの一変形例の概略構成を示す斜視図である。
【図１４】図３に示された貯湯ユニットの他の一変形例の概略構成を示す斜視図である。
【図１５】図３に示された貯湯ユニットのさらに他の一変形例の概略構成を示す斜視図である。
【発明を実施するための形態】
【００１５】
（実施形態）
以下、本発明の実施形態を、図面に基づいて説明する。また、説明の便宜上、本実施形態の構成における、前後左右上下の各方向を、図中矢印で定義する。なお、「後」及び「後方」は、「背面」とも称され得る。また、一つの実施形態に対して適用可能な各種の変形例については、当該実施形態に関する一連の説明の途中に挿入されると当該実施形態の理解が妨げられるおそれがあるため、当該実施形態の説明の後にまとめて記載する。
【００１６】
（給湯システムの全体構成）
まず、給湯システム１の全体構成について、図１を参照しつつ説明する。給湯システム１は、家屋等の建物に設置されることで、建物の内外に設置された各種機器に温水を供給するように構成されている。具体的には、給湯システム１は、ヒートポンプユニット２と、貯湯ユニット３と、混合栓４と、浴槽５とを備えている。
【００１７】
温水生成装置として機能するヒートポンプユニット２と、ヒートポンプユニット２により生成された温水を貯湯する貯湯ユニット３とは、屋外即ち建物の外側に設置されている。貯湯ユニット３から温水の供給を受ける混合栓４及び浴槽５は、屋内即ち建物の内側に設置されている。
【００１８】
ヒートポンプユニット２は、ヒートポンプサイクル２１と熱源側制御装置２２とを備えている。ヒートポンプサイクル２１は、いわゆる蒸気圧縮式の構成を有していて、不図示の電動圧縮機、水冷媒熱交換器、膨張弁、冷媒蒸発器、等を備えている。本実施形態においては、ヒートポンプサイクル２１は、貯湯ユニット３側から供給された水を、二酸化炭素等の冷媒からの放熱により加温するように構成されている。熱源側制御装置２２は、いわゆるマイクロコンピュータにより構成されていて、ヒートポンプサイクル２１の動作を制御するように設けられている。
【００１９】
貯湯ユニット３は、筐体３１と、貯湯タンク３２と、配管ジョイント３３と、温水取出部３４と、内部配管部３５と、貯湯側制御装置３６と、コントローラ３７とを備えている。
【００２０】
筐体３１は、複数の金属製外壁パネルによって、箱状、具体的には上下方向に長手方向を有する略直方体状に形成されている。筐体３１は、複数の外壁パネルによって囲まれた内部空間内に貯湯タンク３２を収容するように構成されている。
【００２１】
温水を貯留可能に構成された貯湯タンク３２は、耐食性に優れたステンレス等の金属によって形成されている。貯湯タンク３２は、不図示の断熱材によって覆われることで、内部に貯留した温水を長時間にわたって保温することができるように構成されている。
【００２２】
貯湯タンク３２は、設置スペースを考慮して、縦長形状に形成されている。具体的には、貯湯タンク３２は、筒状部３２ａと、下側閉塞部３２ｂと、上側閉塞部３２ｃとを有している。
【００２３】
筒状部３２ａは、水平断面視にて略円形状に形成された略円筒状の部分であって、上下方向に延設されている。即ち、筒状部３２ａは、上下方向と平行な中心軸線Ｃに沿った長手方向を有している。筒状部３２ａの下端は、ドーム状の下側閉塞部３２ｂによって閉塞されている。筒状部３２ａの上端は、ドーム状の上側閉塞部３２ｃによって閉塞されている。即ち、貯湯タンク３２は、筒状部３２ａの上下を閉塞した構造を有している。
【００２４】
貯湯タンク３２は、冷水入口部３２ｄと、冷水出口部３２ｅと、温水入口部３２ｆと、温水出口部３２ｇとを有している。冷水入口部３２ｄ及び冷水出口部３２ｅは、下側閉塞部３２ｂに設けられている。温水入口部３２ｆ及び温水出口部３２ｇは、上側閉塞部３２ｃに設けられている。
【００２５】
筐体３１には、冷水導入ジョイント３３ａと、冷水導出ジョイント３３ｂと、温水導入ジョイント３３ｃと、混合栓給湯ジョイント３３ｄと、浴槽給湯ジョイント３３ｅと、を含む、複数の配管ジョイント３３が固定されている。複数の配管ジョイント３３は、筐体３１の外部に設けられた給水源に接続された給水配管を含む複数の外部配管と内部配管部３５との接続箇所に設けられている。即ち、複数の配管ジョイント３３の各々は、貯湯ユニット３と外部とを接続するための外部配管を着脱可能に構成されている。
【００２６】
冷水導入ジョイント３３ａは、貯湯タンク３２における冷水入口部３２ｄと接続されている。即ち、冷水導入ジョイント３３ａは、水道水が通流する給水配管と接続されることで、貯湯タンク３２の底部に水道水を供給するように設けられている。
【００２７】
冷水導出ジョイント３３ｂは、貯湯タンク３２における冷水出口部３２ｅと接続されている。即ち、冷水導出ジョイント３３ｂは、ヒートポンプユニット２における冷水取水口との接続配管と接続されることで、貯湯タンク３２の底部に貯留された水をヒートポンプユニット２に供給するように設けられている。
【００２８】
温水導入ジョイント３３ｃは、貯湯タンク３２における温水入口部３２ｆと接続されている。即ち、温水導入ジョイント３３ｃは、ヒートポンプユニット２における温水供給口との接続配管と接続されることで、ヒートポンプユニット２にて生成された温水を貯湯タンク３２に供給するように設けられている。
【００２９】
混合栓給湯ジョイント３３ｄ及び浴槽給湯ジョイント３３ｅは、貯湯タンク３２における温水出口部３２ｇと接続されている。即ち、混合栓給湯ジョイント３３ｄは、混合栓４との接続配管と接続されることで、混合栓４に温水を供給するように設けられている。同様に、浴槽給湯ジョイント３３ｅは、浴槽５との接続配管と接続されることで、浴槽５に温水を供給するように設けられている。
【００３０】
温水取出部３４は、筐体３１に固定されている。温水取出部３４は、屋外における貯湯ユニット３の周囲にて温水を用いた作業（例えば洗車等）を行う際に、貯湯タンク３２に貯留された温水を筐体３１の外部に取り出し可能に設けられている。温水取出部３４の構成の詳細については後述する。
【００３１】
貯湯タンク３２と、温水取出部３４及び複数の配管ジョイント３３の各々とは、筐体３１の内部に設けられた内部配管部３５を介して接続されている。内部配管部３５は、水の通流経路と温水の通流経路とを含む。以下、内部配管部３５の具体的構成について説明する。
【００３２】
貯湯タンク３２における冷水入口部３２ｄと、冷水導入ジョイント３３ａとは、給水配管３５ａを介して接続されている。同様に、貯湯タンク３２における冷水出口部３２ｅと、冷水導出ジョイント３３ｂとは、加温用水配管３５ｂを介して接続されている。また、貯湯タンク３２における温水入口部３２ｆと、温水導入ジョイント３３ｃとは、貯湯配管３５ｃを介して接続されている。
【００３３】
貯湯タンク３２における温水出口部３２ｇには、給湯配管３５ｄが接続されている。給湯配管３５ｄは、下流側にて、混合栓給湯配管３５ｄ１と浴槽給湯配管３５ｄ２とに分岐している。混合栓給湯ジョイント３３ｄは、混合栓給湯配管３５ｄ１と接続されている。浴槽給湯ジョイント３３ｅは、浴槽給湯配管３５ｄ２と接続されている。また、混合栓給湯配管３５ｄ１から分岐するように、温水取出配管３５ｄ３が設けられている。温水取出配管３５ｄ３は、温水取出部３４と接続されている。
【００３４】
給水配管３５ａから分岐するように、分岐給水配管３５ｆが設けられている。分岐給水配管３５ｆは、下流側にて、混合栓側分岐管３５ｇ１と浴槽側分岐管３５ｇ２とに分岐している。混合栓側分岐管３５ｇ１は、混合栓給湯配管３５ｄ１における、浴槽給湯配管３５ｄ２との分岐位置よりも上流側の部分と接続されている。浴槽側分岐管３５ｇ２は、浴槽給湯配管３５ｄ２と接続されている。
【００３５】
給湯配管３５ｄから分岐するように、圧力リリーフ管３５ｈが設けられている。圧力リリーフ管３５ｈには、リリーフ弁３５ｒが介装されている。リリーフ弁３５ｒは、貯湯タンク３２の内部圧力が所定圧力以上に上昇した際に開弁することで、貯湯タンク３２の内部の温水を外部に排出するように設けられている。
【００３６】
混合栓給湯配管３５ｄ１と混合栓側分岐管３５ｇ１との接続箇所には、混合栓側温調弁３５ｓが介装されている。混合栓側温調弁３５ｓは、給湯配管３５ｄ側に連通する温水側の開度と混合栓側分岐管３５ｇ１側に連通する冷水側の開度との比率を調整する電動調整弁であって、調整開度に応じた温度の温水を混合栓給湯ジョイント３３ｄ及び温水取出部３４側に送出するように構成されている。
【００３７】
浴槽給湯配管３５ｄ２と浴槽側分岐管３５ｇ２との接続箇所には、浴槽側温調弁３５ｔが介装されている。浴槽側温調弁３５ｔは、給湯配管３５ｄ側に連通する温水側の開度と浴槽側分岐管３５ｇ２側に連通する冷水側の開度との比率を調整する電動調整弁であって、調整開度に応じた温度の温水を浴槽給湯ジョイント３３ｅ側に送出するように構成されている。
【００３８】
温水取出配管３５ｄ３には、温水取出弁３５ｕが介装されている。温水取出弁３５ｕは、手動調整弁であって、調整開度に応じた流量の温水を温水取出部３４側に送出するように構成されている。
【００３９】
貯湯側制御装置３６は、熱源側制御装置２２及びコントローラ３７と、信号授受可能に電気接続されている。また、貯湯側制御装置３６は、内部配管部３５に介装された混合栓側温調弁３５ｓ及び浴槽側温調弁３５ｔ等の各種制御対象機器と、信号授受可能に電気接続されている。貯湯側制御装置３６は、コントローラ３７を介して受け付けたユーザ入力に応じて、上記の各種制御対象機器の動作を制御するように設けられている。コントローラ３７は、屋内及び／又は屋外の所定位置に設けられている。
【００４０】
（貯湯ユニットの構成）
次に、貯湯ユニット３の構成の詳細について、図２〜図４を参照しつつ説明する。
【００４１】
図２及び図３を参照すると、筐体３１は、箱状に形成された本体部３０１と、本体部３０１の底部に固定された４本の支持脚部３０２とを有している。即ち、本体部３０１は、４本の支持脚部３０２によって下側から支持されている。本体部３０１は、上面パネル３１１と、底面パネル３１２と、側面パネル３１３と、上部前面パネル３１４と、下部前面パネル３１５と、配管接続パネル３１６とを有している。
【００４２】
上面パネル３１１は、本体部３０１の内部空間の上面を覆う外壁パネル部材であって、貯湯タンク３２の上方にて水平面に沿って延設されている。底面パネル３１２は、本体部３０１の内部空間の底面を覆う外壁パネル部材であって、貯湯タンク３２の下方にて水平面に沿って延設されている。
【００４３】
側面パネル３１３は、本体部３０１の内部空間の側方、具体的には側面及び背面を覆う外壁パネル部材であって、垂直方向に延設されている。即ち、側面パネル３１３は、貯湯タンク３２の側方を覆うように、上面パネル３１１と底面パネル３１２との間に設けられている。具体的には、３枚の側面パネル３１３が、平面視にて略Ｕ字状を形成するように配置されている。
【００４４】
上部前面パネル３１４は、本体部３０１の内部空間の前面を覆う外壁パネル部材であって、垂直方向に延設されている。即ち、上部前面パネル３１４は、貯湯タンク３２の前方を覆うように、上面パネル３１１と底面パネル３１２との間に設けられている。具体的には、上部前面パネル３１４は、本体部３０１の前面における上端部から高さ方向中央部にわたって設けられている。
【００４５】
上部前面パネル３１４には、貫通孔である操作孔３１４ａ及び取出孔３１４ｂが設けられている。操作孔３１４ａは、温水取出弁３５ｕに対応する位置に配設されている。即ち、操作孔３１４ａは、ユーザが温水取出弁３５ｕを外側から操作可能に設けられている。操作孔３１４ａは、略円形に形成されている。
【００４６】
取出孔３１４ｂは、操作孔３１４ａよりも下方、且つ配管接続パネル３１６よりも上方に配設されている。取出孔３１４ｂは、矩形状に形成されている。取出孔３１４ｂから本体部３０１の内部空間側に向かって、凹部３１４ｃが凹設されている。即ち、凹部３１４ｃは、上部前面パネル３１４に形成された貫通孔である取出孔３１４ｂから、筐体３１の内側に窪むように形成されている。凹部３１４ｃには、温水取出部３４が設けられている。
【００４７】
図４を参照すると、本実施形態においては、凹部３１４ｃは、上壁部３１４ｄと、下壁部３１４ｅと、一対の側壁部３１４ｆとを有している。
【００４８】
上壁部３１４ｄは、矩形状の板状部であって、矩形状に形成された取出孔３１４ｂの上辺から背面側即ち後方に向かって、斜め下方に延設されている。上壁部３１４ｄは、水平方向に対する傾斜角度θαが１０〜３５度程度となるように設けられている。
【００４９】
下壁部３１４ｅは、矩形状の板状部であって、矩形状に形成された取出孔３１４ｂの下辺から背面側に向かって斜め上方に延設されている。下壁部３１４ｅは、水平方向に対する傾斜角度θβが傾斜角度θαよりも大きくなるように設けられている。
【００５０】
一対の側壁部３１４ｆは、三角形状の板状部であって、矩形状に形成された取出孔３１４ｂの右辺及び左辺のそれぞれから背面側に向かって延設されている。即ち、凹部３１４ｃは、上壁部３１４ｄと、下壁部３１４ｅと、一対の側壁部３１４ｆとによって囲まれた三角柱状の空間を形成するように設けられている。
【００５１】
本実施形態においては、温水取出部３４は、上部前面パネル３１４に配設されている。具体的には、温水取出部３４は、上部前面パネル３１４に形成された開口部である取出孔３１４ｂにて筐体３１の外部に露出可能に、取出孔３１４ｂよりも内部空間側に設けられている。
【００５２】
本実施形態においては、温水取出部３４は、略円筒状に形成された取出管３４１を有している。取出管３４１は、上壁部３１４ｄから下壁部３１４ｅに沿って斜め下方に延設されている。温水取出部３４は、略全体が凹部３１４ｃに収容されている。具体的には、取出管３４１は、先端部の一部が上部前面パネル３１４即ち筐体３１の外部に突出するだけで、その他の大部分が凹部３１４ｃに収容されている。
【００５３】
即ち、通常、筐体３１の外壁面と筐体３１を梱包する梱包材の内側面との間には、電源スイッチのカバーや設置工事説明書等を収容するための空間が設けられている。このため、温水取出部３４は、好ましくは、上部前面パネル３１４から突出した部分が、少なくとも筐体３１の外壁面と筐体３１を梱包する梱包材の内側面との間に形成される隙間に収まるように構成されている。
【００５４】
再び図２及び図３を参照すると、下部前面パネル３１５は、上部前面パネル３１４の下方、即ち本体部３０１の前面における底部に対応する位置に設けられている。下部前面パネル３１５は、上部前面パネル３１４よりも背面側に若干オフセットした位置に配置されている。上部前面パネル３１４の下端部と下部前面パネル３１５の上端部とは、配管接続パネル３１６によって接続されている。
【００５５】
配管接続パネル３１６は、略矩形状の外壁パネル部材であって、上部前面パネル３１４の下端部から背面側に向かって水平方向に延設されている。即ち、配管接続パネル３１６は、本体部３０１の底部であって、底面パネル３１２よりも上方に配置されている。配管接続パネル３１６には、複数の配管ジョイント３３が支持されている。
【００５６】
底面パネル３１２から下方に向かって、管状部材であるドレイン管３１７が延設されている。ドレイン管３１７は、底面パネル３１２の下方空間と本体部３０１の内部空間とを連通することで、当該空間における底部から水を外部に排出可能に設けられている。具体的には、ドレイン管３１７は、不図示の排水ホース及び排水口ネットを介して、下水道に連通する不図示の排水ホッパに水を排出するようになっている。
【００５７】
（温水取出部及び貯湯側制御装置の配置）
以下、図２及び図３を参照しつつ、温水取出部３４及び貯湯側制御装置３６の配置について説明する。
【００５８】
本実施形態においては、貯湯側制御装置３６は、上部前面パネル３１４と貯湯タンク３２との間の位置にて、筐体３１内に収容されている。即ち、貯湯側制御装置３６は、上部前面パネル３１４の近傍に配置されている。具体的には、貯湯側制御装置３６は、本体部３０１の内部空間に面するように、上部前面パネル３１４の内側面に支持されている。
【００５９】
温水取出部３４は、配管接続パネル３１６よりも上方、且つ貯湯側制御装置３６よりも下方に配置されている。即ち、温水取出部３４は、温水取出部３４と温水取出配管３５ｄ３（図４参照）との接続箇所から温水が漏出した場合に、当該温水が、配管接続パネル３１６を伝って底面パネル３１２に達した後、ドレイン管３１７を介して筐体３１の外部に排出されるように設けられている。
【００６０】
図３に示された投影中心軸線Ｃ１は、筒状部３２ａ即ち貯湯タンク３２の中心軸線Ｃを上部前面パネル３１４に投影した仮想直線である。図３に示されているように、温水取出部３４は、上部前面パネル３１４の厚さ方向に見た場合に、投影中心軸線Ｃ１よりも左方に配置されている。即ち、温水取出部３４は、上部前面パネル３１４における左下方の位置に設けられている。一方、貯湯側制御装置３６は、上部前面パネル３１４の厚さ方向に透視した場合に、温水取出部３４に対して対角位置となるように、投影中心軸線Ｃ１よりも右方に配置されている。即ち、貯湯側制御装置３６は、上部前面パネル３１４における右上方の位置に設けられている。
【００６１】
（効果）
以下、本実施形態の構成によって奏される効果について、図１〜図４を参照しつつ説明する。
【００６２】
上記構成においては、温水取出部３４は、上部前面パネル３１４に形成された取出孔３１４ｂにて筐体３１の外部に露出可能に、取出孔３１４ｂよりも筐体３１の内部空間側に配設されることで、略全体が凹部３１４ｃに収容されている。したがって、かかる構成によれば、貯湯ユニット３付近を歩行者が歩く際に、温水取出部３４が通行の妨げとなってしまう懸念が、良好に解消され得る。また、貯湯ユニット３を梱包する際に、温水取出部３４を保護するために特別の保護材を用意したり梱包材のサイズが大きくなったりすることで物流コストが高くなってしまう等の問題が、良好に解決され得る。このように、本実施形態の貯湯ユニット３によれば、温水取出部３４が筐体３１の外側に突出することによる弊害を、良好に抑制することが可能となる。
【００６３】
また、上記構成においては、温水取出部３４は、貯湯側制御装置３６よりも下方に配置されている。このため、仮に温水取出部３４及び／又はその周辺部に大きな外力が加えられて、温水取出部３４近辺にて漏水が発生しても、貯湯側制御装置３６が被水して故障が発生することが、良好に抑制される。
【００６４】
特に、上記構成においては、温水取出部３４は、上部前面パネル３１４の厚さ方向に見た場合に、貯湯タンク３２における略円筒状の筒状部３２ａの中心軸線Ｃ即ち投影中心軸線Ｃ１よりも左方に配置されている。一方、貯湯側制御装置３６は、上部前面パネル３１４の厚さ方向に透視した場合に、温水取出部３４に対して対角位置となるように配置されている。即ち、温水取出部３４と貯湯側制御装置３６とは、貯湯タンク３２における外側に膨出しつつ上下方向に延設された円柱外面の頂部に対応する投影中心軸線Ｃ１を挟んで、異なる側に設けられている。したがって、仮に温水取出部３４及び／又はその周辺部に大きな外力が加えられて、温水取出部３４近辺にて漏水が発生しても、貯湯側制御装置３６が被水して故障が発生することが、よりいっそう良好に抑制される。
【００６５】
さらに、上記構成においては、温水取出部３４は、上部前面パネル３１４に配設されている。また、温水取出部３４は、上部前面パネル３１４の下端と接続された配管接続パネル３１６よりも、上方に配置されている。かかる構成によれば、仮に温水取出部３４と温水取出配管３５ｄ３との接続箇所から温水が漏出した場合に、当該温水が、配管接続パネル３１６を伝って底面パネル３１２に達した後、ドレイン管３１７を介して、筐体３１の外部に設けられた不図示の排水ホッパに排出される。したがって、かかる構成によれば、温水取出部３４と温水取出配管３５ｄ３との接続箇所から温水が漏出した場合に、筐体３１の周辺の地面が水浸しになることが可及的に抑制され得る。
【００６６】
（変形例）
本発明は、上記実施形態に限定されるものではない。故に、上記実施形態に対しては、適宜変更が可能である。以下、代表的な変形例について説明する。以下の変形例の説明においては、上記実施形態との相違点を主として説明する。また、上記実施形態と変形例とにおいて、互いに同一又は均等である部分には、同一符号が付されている。したがって、以下の変形例の説明において、上記実施形態と同一の符号を有する構成要素に関しては、技術的矛盾又は特段の追加説明なき限り、上記実施形態における説明が適宜援用され得る。
【００６７】
取出管３４１は、先端部が上部前面パネル３１４即ち筐体３１の外部に全く突出しないように、全体が凹部３１４ｃに収容されていてもよい。即ち、取出管３４１の上壁部３１４ｄからの突出位置、及び／又は上壁部３１４ｄの傾斜角度θαを適宜調整することで、取出管３４１の全体を凹部３１４ｃ内に設けることが可能である。
【００６８】
図５に示されているように、温水取出部３４即ち取出管３４１は、いわゆるワンタッチコネクタ構造を有していてもよい。即ち、取出管３４１は、不図示のホース先端に固定されたワンタッチコネクタに対応した構造を有していて、当該ワンタッチコネクタに対して着脱自在に構成されている。具体的には、取出管３４１は、基部３４１ａと、中間細径部３４１ｂと、先端筒状部３４１ｃと、Ｏリング３４１ｄとを有している。
【００６９】
基部３４１ａは、円管状に形成されている。中間細径部３４１ｂは、基部３４１ａよりも細径の円管状に形成されていて、基部３４１ａの先端部から先端方向に延設されている。先端筒状部３４１ｃは、基部３４１ａよりも細径且つ中間細径部３４１ｂよりも太径の円管状に形成されていて、中間細径部３４１ｂの先端部から先端方向に延設されている。Ｏリング３４１ｄは、先端筒状部３４１ｃに形成された溝に収容されている。
【００７０】
かかる構成においては、ユーザが温水取出部３４にホースを接続する際に、温水取出部３４及び／又はその周辺部に加えられる外力を、可及的に小さくすることが可能になる。したがって、かかる構成によれば、温水取出部３４及び／又はその周辺部に大きな外力が加えられることで温水取出部３４近辺にて漏水が発生することが、良好に抑制され得る。
【００７１】
温水取出部３４は、凹部３１４ｃ即ち上壁部３１４ｄからの突出量が可変に構成されていてもよい。具体的には、例えば、図６に示されているように、温水取出部３４は、取出管３４１と伸縮ホース３４２とを有していてもよい。伸縮ホース３４２は、伸縮可能且つ撓曲可能な蛇腹状のホース部材であって、温水取出配管３５ｄ３と取出管３４１とを接続するように設けられている。
【００７２】
かかる構成においては、ユーザが温水取出部３４を介して温水を取り出す際に、温水取出部３４即ちその先端部を構成する取出管３４１の、凹部３１４ｃ即ち上壁部３１４ｄからの突出量を、適宜変更することが可能である。したがって、かかる構成によれば、温水取出部３４を介しての温水の取り出しが、良好に行われ得る。具体的には、例えば、図７に示されているように、伸縮ホース３４２を伸長して、取出管３４１を、地面に置いたバケツＢに到達するまで延長することで、筐体３１周辺の地面が水浸しになることが可及的に抑制され得る。
【００７３】
また、かかる構成においては、取出管３４１は、撓曲可能な蛇腹状の伸縮ホース３４２の先端部に取り付けられている。このため、取出管３４１は、小さな外力により、開口方向が可変となる。したがって、例えば、ユーザが取出管３４１にホースを接続する際に、温水取出部３４や温水取出配管３５ｄ３と温水取出部３４との接続箇所に加えられる外力を、可及的に小さくすることが可能になる。したがって、かかる構成によれば、温水取出部３４及び／又はその周辺部に大きな外力が加えられることで温水取出部３４近辺にて漏水が発生することが、良好に抑制され得る。
【００７４】
図８及び図９を参照すると、温水取出部３４は、前後方向に沿った回転中心軸Ｃ２を中心として回転することで、取出管３４１の開口方向が可変に構成されていてもよい。具体的には、本具体例においては、凹部３１４ｃは、上壁部３１４ｄ、下壁部３１４ｅ、及び一対の側壁部３１４ｆの他に、中間壁部３１４ｇを有している。
【００７５】
上壁部３１４ｄは、矩形状の板状部であって、矩形状に形成された取出孔３１４ｂの上辺から背面側に向かって水平に延設されている。下壁部３１４ｅは、平面視にて上壁部３１４ｄと同形状の矩形状の板状部であって、矩形状に形成された取出孔３１４ｂの下辺から背面側に向かって水平に延設されている。
【００７６】
一対の側壁部３１４ｆは、矩形状の板状部であって、矩形状に形成された取出孔３１４ｂの右辺及び左辺のそれぞれから背面側に向かって延設されている。即ち、上壁部３１４ｄと、下壁部３１４ｅと、一対の側壁部３１４ｆとによって、前後方向に沿って延設された四角筒が形成されている。かかる四角筒の中心軸線方向における一方の端部は、矩形状の板状部である中間壁部３１４ｇによって閉塞され、他方の端部は、取出孔３１４ｂにて開口している。即ち、凹部３１４ｃは、上壁部３１４ｄと、下壁部３１４ｅと、一対の側壁部３１４ｆと、中間壁部３１４ｇによって囲まれた四角柱状の空間を形成するように設けられている。
【００７７】
温水取出部３４は、取出管３４１と回動コラム３４３とを有している。回動コラム３４３は、略円柱状の部材であって、中間壁部３１４ｇから前面側に突出するように前後方向に延設されている。回動コラム３４３は、回転中心軸Ｃ２を中心として回転可能に支持されている。回動コラム３４３の突出方向における一端は、温水取出配管３５ｄ３と接続されている。回動コラム３４３の突出方向における他端は、閉塞されている。
【００７８】
図９に示されているように、取出管３４１は、回動コラム３４３の突出方向における略中央部から、正面視にて、回転中心軸Ｃ２から放射状に延びるように設けられている。即ち、取出管３４１は、回動コラム３４３の内側の略円柱状の空間を介して、温水取出配管３５ｄ３と連通するようになっている。取出管３４１の先端は、基端よりも前面側に設けられている。即ち、取出管３４１は、正面視にて下方を向く基準状態にて、下方且つ斜め前方に延設されている。
【００７９】
かかる構成においては、取出管３４１は、回転中心軸Ｃ２を中心として回転可能である。このため、取出管３４１は、小さな外力により、開口方向が可変となる。したがって、例えば、ユーザが取出管３４１にホースを接続する際に、温水取出部３４や温水取出配管３５ｄ３と温水取出部３４との接続箇所に加えられる外力を、可及的に小さくすることが可能になる。したがって、かかる構成によれば、温水取出部３４及び／又はその周辺部に大きな外力が加えられることで温水取出部３４近辺にて漏水が発生することが、良好に抑制され得る。なお、回転中心軸Ｃ２は、前後方向と平行であってもよいし、所定角度で前後方向と交差していてもよい。
【００８０】
図１０に示されているように、温水取出部３４は、止水ハンドル３４４を備えていてもよい。止水ハンドル３４４は、取出管３４１とともに、凹部３１４ｃに収容されている。
【００８１】
止水ハンドル３４４は、ハンドル式の止水栓であって、所定方向に回転させることで閉状態から開状態に切り替えるとともに、反対方向に回転させることで開状態から閉状態に切り替えるように構成されている。閉状態は、取出管３４１からの温水の取り出しを停止する状態である。開状態は、取出管３４１からの温水の取り出しを許容する状態である。この場合、図１及び図３に示された温水取出弁３５ｕと、図３に示された操作孔３１４ａは、省略され得る。即ち、上部前面パネル３１４の簡素化を図ることが可能となる。
【００８２】
上述の各例では、温水取出部３４は、凹部３１４ｃに収容されているものの、筐体３１の外部に露出する構成となっていた。しかしながら、本発明は、かかる構成に限定されない。即ち、図１１及び図１２に示されているように、筐体３１には、取出孔３１４ｂを開閉可能な防水カバー３１８が設けられていてもよい。かかる構成によれば、凹部３１４ｃに雨水や埃等が入り込むことが、良好に抑制され得る。
【００８３】
なお、防水カバー３１８は、図１１に示されているように上開きであってもよいし、図１２に示されているように下開きであってもよい。あるいは、防水カバー３１８は、横開きであってもよい。あるいは、防水カバー３１８は、スライド式であってもよい。防水カバー３１８は、図１０の構成の他、図４、図６、及び図８の構成にも採用され得る。
【００８４】
温水取出部３４及び貯湯側制御装置３６の配置についても、上記の具体例に限定されない。即ち、例えば、図１３に示されているように、温水取出部３４は、上部前面パネル３１４の厚さ方向に見た場合に、投影中心軸線Ｃ１よりも右方、即ち、上部前面パネル３１４における右下方の位置に設けられていてもよい。また、貯湯側制御装置３６は、上部前面パネル３１４の厚さ方向に透視した場合に、投影中心軸線Ｃ１よりも左方、即ち、上部前面パネル３１４における左上方の位置に設けられていてもよい。この場合も、貯湯側制御装置３６は、上部前面パネル３１４の厚さ方向に透視した場合に、温水取出部３４に対して対角位置となる。
【００８５】
あるいは、図１４に示されているように、温水取出部３４と貯湯側制御装置３６とは、投影中心軸線Ｃ１に対して同じ側に設けられていてもよい。即ち、温水取出部３４と貯湯側制御装置３６との対角配置は、本発明において必須ではない。
【００８６】
図１５に示されているように、温水取出部３４は、側面パネル３１３に配設されていてもよい。
【００８７】
温水取出部３４と貯湯側制御装置３６とは、それぞれ異なる外壁パネル部材に対応して設けられていてもよい。具体的には、例えば、図１５に示されているように、貯湯側制御装置３６が上部前面パネル３１４の近傍に配置されている場合に、温水取出部３４は、側面パネル３１３に配設されていてもよい。かかる構成においては、貯湯側制御装置３６を温水取出部３４からよりいっそう遠ざけることが可能となる。したがって、かかる構成によれば、仮に温水取出部３４及び／又はその周辺部に大きな外力が加えられて、温水取出部３４近辺にて漏水が発生しても、貯湯側制御装置３６が被水して故障が発生することが、よりいっそう良好に抑制される。
【００８８】
上記実施形態においては、ヒートポンプユニット２を備える給湯システム１に本発明の貯湯ユニット３を適用する例について説明した。しかしながら、本発明は、かかる態様に限定されない。本発明の貯湯ユニット３は、例えば、温水生成装置として電気ヒータ等の電熱装置を備える給湯システム１に対しても適用可能である。
【００８９】
上記実施形態を構成する要素は、特に必須であると明示した場合および原理的に明らかに必須であると考えられる場合等を除き、必ずしも必須のものではないことは言うまでもない。また、構成要素の個数、数値、量、範囲等の数値が言及されている場合、特に必須であると明示した場合および原理的に明らかに特定の数に限定される場合等を除き、その特定の数に本発明が限定されることはない。同様に、構成要素等の形状、方向、位置関係等が言及されている場合、特に必須であると明示した場合および原理的に特定の形状、方向、位置関係等に限定される場合等を除き、その形状、方向、位置関係等に本発明が限定されることはない。
【００９０】
（まとめ）
上述の実施形態の一部または全部で示された第１の観点によれば、貯湯ユニットは、貯湯タンクと、筐体と、温水取出部と、複数の配管ジョイントと、制御装置と、を備えている。貯湯タンクは、温水を貯留可能に構成されている。筐体は、貯湯タンクの上方にて水平面に沿って延設された上面パネルと、貯湯タンクの下方にて水平面に沿って延設された底面パネルと、貯湯タンクの側方を覆うように上面パネルと底面パネルとの間に設けられた複数の側面パネルと、貯湯タンクの前方を覆うように上面パネルと底面パネルとの間に設けられた前面パネルと、底面パネルの上方にて前面パネルの下端部から背面側に向かって延設された配管接続パネルと、を有し、上面パネルと底面パネルと側面パネルと前面パネルとによって囲まれた内部空間内に貯湯タンクを収容するように構成されている。温水取出部は、前面パネルと複数の側面パネルとのうちのいずれか一つである特定パネルに形成された開口部にて筐体の外部に露出可能に開口部よりも内部空間側に配設されていて、内部空間内に設けられた水又は温水の通流経路を含む内部配管部を介して貯湯タンクに接続されることで、貯湯タンクに貯留された温水を筐体の外部に取り出し可能に設けられている。複数の配管ジョイントは、筐体の外部に設けられた給水源に接続された給水配管を含む複数の外部配管と内部配管部との接続箇所に設けられていて、配管接続パネルに支持されている。制御装置は、内部空間に面するように筐体に支持されていて、内部配管部に介装された電動調整弁の動作を制御するように電動調整弁と電気接続されている。温水取出部は、制御装置よりも下方に配置されている。
【００９１】
かかる構成においては、温水取出部は、制御装置よりも下方に配置されている。このため、仮に温水取出部及び／又はその周辺部に大きな外力が加えられて、温水取出部近辺にて漏水が発生しても、制御装置が被水して故障が発生することが、良好に抑制される。
【００９２】
第２の観点によれば、温水取出部は、側面パネルにおける前面パネルの近傍部又は前面パネルに配設されるとともに、配管接続パネルよりも上方に配置されている。かかる構成によれば、仮に温水取出部と内部配管部との接続箇所から温水が漏出した場合に、当該温水が、配管接続パネルを伝って底面パネルに達した後、ドレイン管を介して、筐体の外部に排出される。したがって、かかる構成によれば、温水取出部と内部配管部との接続箇所から温水が漏出した場合に、筐体の周辺の地面が水浸しになることが可及的に抑制され得る。
【００９３】
第３の観点によれば、貯湯タンクは、水平断面視にて略円形状に形成され上下方向に延設された筒状部の上下を閉塞した構造を有している。温水取出部は、特定パネルの厚さ方向に見た場合に、筒状部の中心軸線よりも右方又は左方に配置されている。制御装置は、厚さ方向に透視した場合に、温水取出部に対して対角位置となるように配置されている。
【００９４】
かかる構成においては、温水取出部は、上部前面パネルの厚さ方向に見た場合に、貯湯タンクにおける略円筒状の筒状部の中心軸線よりも左方に配置されている。一方、貯湯側制御装置は、上部前面パネルの厚さ方向に透視した場合に、温水取出部に対して対角位置となるように配置されている。即ち、温水取出部と貯湯側制御装置とは、外側に膨出しつつ上下方向に延設された円柱外面の頂部に対応する中心軸線を挟んで、異なる側に設けられている。したがって、仮に温水取出部及び／又はその周辺部に大きな外力が加えられて、温水取出部近辺にて漏水が発生しても、貯湯側制御装置が被水して故障が発生することが、よりいっそう良好に抑制される。
【００９５】
第４の観点においては、制御装置は、前面パネルと複数の側面パネルとのうちの特定パネル以外のものの近傍に配置されている。かかる構成によれば、貯湯側制御装置を温水取出部からよりいっそう遠ざけることが可能となる。したがって、かかる構成によれば、仮に温水取出部及び／又はその周辺部に大きな外力が加えられて、温水取出部近辺にて漏水が発生しても、貯湯側制御装置が被水して故障が発生することが、よりいっそう良好に抑制される。
【００９６】
第５の観点によれば、温水取出部は、ワンタッチコネクタ構造を有する。かかる構成においては、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【００９７】
第６の観点によれば、温水取出部は、開口方向を可変に構成されている。かかる構成によれば、例えば、ユーザが温水取出部にホースを接続する際に、温水取出部や温水取出部と内部配管部との接続箇所に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【００９８】
第７の観点によれば、温水取出部は、開口部から内部空間側に向かって凹設された凹部に設けられている。かかる構成によれば、貯湯ユニット付近を歩行者が歩く際に、温水取出部が通行の妨げとなってしまう懸念が、良好に解消され得る。また、貯湯ユニットを梱包する際に、温水取出部を保護するために特別の保護材を用意したり梱包材のサイズが大きくなったりすることで物流コストが高くなってしまう等の問題が、良好に解決され得る。
【００９９】
第８の観点によれば、温水取出部は、凹部からの突出量が可変に構成されている。かかる構成においては、ユーザが温水取出部を介して温水を取り出す際に、温水取出部の凹部からの突出量を、適宜変更することが可能である。したがって、かかる構成によれば、温水取出部を介しての温水の取り出しが、良好に行われ得る。具体的には、例えば、温水取出部を、地面に置いたバケツに到達するまで延長することで、筐体周辺の地面が水浸しになることが可及的に抑制され得る。あるいは、例えば、温水取出部を伸縮可能且つ撓曲可能な蛇腹状に構成することで、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【０１００】
第９の観点によれば、温水取出部は、伸縮可能且つ撓曲可能な蛇腹状に構成されている。かかる構成によれば、温水取出部は、小さな外力により、開口方向が可変となる。このため、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【０１０１】
第１０の観点によれば、貯湯ユニットは、ドレイン管をさらに備えている。ドレイン管は、底面パネルの下方空間と内部空間とを連通するように、底面パネルに設けられている。温水取出部は、温水取出部と内部配管部との接続箇所から温水が漏出した場合に、当該温水がドレイン管を介して筐体の外部に排出されるように設けられている。
【０１０２】
かかる構成においては、仮に温水取出部と内部配管部との接続箇所から温水が漏出した場合に、当該温水が底面パネルに達した後、ドレイン管を介して、筐体の外部に排出される。したがって、かかる構成によれば、温水取出部と内部配管部との接続箇所から温水が漏出した場合に、筐体の周辺の地面が水浸しになることが可及的に抑制され得る。
【０１０３】
第１１の観点によれば、貯湯ユニットは、貯湯タンクと、筐体と、温水取出部と、複数の配管ジョイントと、制御装置と、を備えている。貯湯タンクは、温水を貯留可能に構成されている。筐体は、貯湯タンクの上方にて水平面に沿って延設された上面パネルと、貯湯タンクの下方にて水平面に沿って延設された底面パネルと、貯湯タンクの側方を覆うように上面パネルと底面パネルとの間に設けられた複数の側面パネルと、貯湯タンクの前方を覆うように上面パネルと底面パネルとの間に設けられた前面パネルと、底面パネルの上方にて前面パネルの下端部から背面側に向かって延設された配管接続パネルと、を有し、上面パネルと底面パネルと側面パネルと前面パネルとによって囲まれた内部空間内に貯湯タンクを収容するように構成されている。温水取出部は、前面パネルと複数の側面パネルとのうちのいずれか一つである特定パネルに形成された開口部にて筐体の外部に露出可能に開口部よりも内部空間側に配設されていて、内部空間内に設けられた水又は温水の通流経路を含む内部配管部を介して貯湯タンクに接続されることで、貯湯タンクに貯留された温水を筐体の外部に取り出し可能に設けられている。複数の配管ジョイントは、筐体の外部に設けられた給水源に接続された給水配管を含む複数の外部配管と内部配管部との接続箇所に設けられていて、配管接続パネルに支持されている。制御装置は、内部空間に面するように筐体に支持されていて、内部配管部に介装された電動調整弁の動作を制御するように電動調整弁と電気接続されている。温水取出部は、ワンタッチコネクタ構造を有する。
【０１０４】
かかる構成においては、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【０１０５】
第１２の観点によれば、第１１の観点に加えて、温水取出部は、開口方向を可変に構成されている。かかる構成によれば、例えば、ユーザが温水取出部にホースを接続する際に、温水取出部や温水取出部と内部配管部との接続箇所に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【０１０６】
第１３の観点によれば、貯湯ユニットは、貯湯タンクと、筐体と、温水取出部と、複数の配管ジョイントと、制御装置と、を備えている。貯湯タンクは、温水を貯留可能に構成されている。筐体は、貯湯タンクの上方にて水平面に沿って延設された上面パネルと、貯湯タンクの下方にて水平面に沿って延設された底面パネルと、貯湯タンクの側方を覆うように上面パネルと底面パネルとの間に設けられた複数の側面パネルと、貯湯タンクの前方を覆うように上面パネルと底面パネルとの間に設けられた前面パネルと、底面パネルの上方にて前面パネルの下端部から背面側に向かって延設された配管接続パネルと、を有し、上面パネルと底面パネルと側面パネルと前面パネルとによって囲まれた内部空間内に貯湯タンクを収容するように構成されている。温水取出部は、前面パネルと複数の側面パネルとのうちのいずれか一つである特定パネルに形成された開口部にて筐体の外部に露出可能に開口部よりも内部空間側に配設されていて、内部空間内に設けられた水又は温水の通流経路を含む内部配管部を介して貯湯タンクに接続されることで、貯湯タンクに貯留された温水を筐体の外部に取り出し可能に設けられている。複数の配管ジョイントは、筐体の外部に設けられた給水源に接続された給水配管を含む複数の外部配管と内部配管部との接続箇所に設けられていて、配管接続パネルに支持されている。制御装置は、内部空間に面するように筐体に支持されていて、内部配管部に介装された電動調整弁の動作を制御するように電動調整弁と電気接続されている。温水取出部は、開口部から内部空間側に向かって凹設された凹部に設けられ、凹部からの突出量が可変に構成されている。
【０１０７】
かかる構成においては、ユーザが温水取出部を介して温水を取り出す際に、温水取出部の凹部からの突出量を、適宜変更することが可能である。したがって、かかる構成によれば、温水取出部を介しての温水の取り出しが、良好に行われ得る。具体的には、例えば、温水取出部を、地面に置いたバケツに到達するまで延長することで、筐体周辺の地面が水浸しになることが可及的に抑制され得る。あるいは、例えば、温水取出部を伸縮可能且つ撓曲可能な蛇腹状に構成することで、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【０１０８】
第１４の観点によれば、第１３の観点に加えて、温水取出部は、伸縮可能且つ撓曲可能な蛇腹状に構成されている。かかる構成によれば、温水取出部は、小さな外力により、開口方向が可変となる。このため、ユーザが温水取出部にホースを接続する際に、温水取出部及び／又はその周辺部に加えられる外力を、可及的に小さくすることが可能になる。したがって、かかる構成によれば、温水取出部及び／又はその周辺部に大きな外力が加えられることで温水取出部近辺にて漏水が発生することが、良好に抑制され得る。
【符号の説明】
【０１０９】
３        貯湯ユニット
３１      筐体
３１１    上面パネル
３１２    底面パネル
３１４    上部前面パネル
３１６    配管接続パネル
３２      貯湯タンク
３３      配管ジョイント
３４      温水取出部
３６      貯湯側制御装置
【図１】
2019032135.tif 000003
【図２】
2019032135.tif 000004
【図３】
2019032135.tif 000005
【図４】
2019032135.tif 000006
【図５】
2019032135.tif 000007
【図６】
2019032135.tif 000008
【図７】
2019032135.tif 000009
【図８】
2019032135.tif 000010
【図９】
2019032135.tif 000011
【図１０】
2019032135.tif 000012
【図１１】
2019032135.tif 000013
【図１２】
2019032135.tif 000014
【図１３】
2019032135.tif 000015
【図１４】
2019032135.tif 000016
【図１５】
2019032135.tif 000017